【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
ｉ）未架橋弾性ポリマーと、
ｉｉ）下記式１によって表されるスルフィド変性剤、
ＡＳ−Ｙ−Ｚｍ  （式１）
とを含む第一組成物から形成されるポリマーを含む組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２】
Ｙが、（Ｃ１２〜Ｃ１００）アルキル、（Ｃ１２〜Ｃ１００）アラルキル、または（Ｃ１２〜Ｃ１００）アリールであり；
Ａが、水素、−（Ｓ）ｐ−Ｒ１またはＳｉＲ２Ｒ３Ｒ４であり；
Ｚが、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
ｍが、数字の１であり；
Ｒ１、Ｒ２、Ｒ３、Ｒ４、Ｒ８、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１に記載の組成物。
【請求項３】
前記未架橋弾性ポリマーが、ハロゲン化スズ、スズアルコキシド、ハロゲン化ケイ素、およびケイ素アルコキシドから成る群より選択される少なくとも１つのカップリング剤に由来する化学的部位を含む、請求項１に記載の組成物。
【請求項４】
ポリスチレンをさらに含む、請求項１〜３のいずれかに記載の組成物。
【請求項５】
スチレン／アクリロニトリルコポリマーをさらに含む、請求項１〜３のいずれかに記載の組成物。
【請求項６】
ポリエステルをさらに含む、請求項１〜３のいずれかに記載の組成物。
【請求項７】
ポリウレタンをさらに含む、請求項１〜３のいずれかに記載の組成物。
【請求項８】
コポリマーの重量に基づき５から６０重量パーセントのアクリロニトリルユニットを含有するブタジエン／アクリロニトリルコポリマーをさらに含み、ここで該ブタジエン／アクリロニトリルコポリマーが、部分的に水素化されているかまたは完全に水素化されている、請求項１〜３のいずれかに記載の組成物。
【請求項９】
ＥＰＤＭをさらに含む、請求項１〜３のいずれかに記載の組成物。
【請求項１０】
前記弾性ポリマーが、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される、請求項１に記載の組成物。
【請求項１１】
１）フィラーと、
２）加硫剤と、
３）第一組成物から形成される変性ポリマー
とを含む第二組成物から形成される弾性ポリマーを含み、該第一組成物が、
ｉ）未架橋弾性ポリマー、および
ｉｉ）下記式１によって表されるスルフィド変性剤、
ＡＳ−Ｙ−Ｚｍ  （式１）
を含む、架橋組成物。
［式中、
Ｙは、（Ｃ１２〜Ｃ１００）アラルキル、（Ｃ１２〜Ｃ１００）アリール、（Ｃ１２〜Ｃ１００）アルキル、および（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数字の１、２または３であり；
ｐは、数字の１、２、３、４または５であり；ならびに
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項１２】
Ｙが、（Ｃ１２〜Ｃ１００）アルキル、（Ｃ１２〜Ｃ１００）アラルキル、または（Ｃ１２〜Ｃ１００）アリールであり；
Ａが、水素、−（Ｓ）ｐ−Ｒ１またはＳｉＲ２Ｒ３Ｒ４であり；
Ｚが、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
Ｒ１、Ｒ２、Ｒ３、Ｒ４、Ｒ８、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１１に記載の組成物。
【請求項１３】
前記第一組成物または前記第二組成物が、油をさらに含む、請求項１１に記載の組成物。
【請求項１４】
前記フィラーが、カーボンブラックを含む、請求項１１に記載の組成物。
【請求項１５】
前記フィラーが、シリカを含む、請求項１１に記載の組成物。
【請求項１６】
前記弾性ポリマーが、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される、請求項１１に記載の組成物。
【請求項１７】
前記フィラーが、全弾性ポリマー１００重量部を基準として１０から１００重量部の量で存在し、ここで前記加硫剤が、全弾性ポリマー１００重量部を基準として０．５から１０重量部の量で存在する、請求項１１に記載の組成物。
【請求項１８】
請求項１１の組成物を含むタイヤトレッド(tire tread)。
【請求項１９】
ｉ）未架橋弾性ポリマーと、
ｉｉ）下記式１によって表されるスルフィド変性剤、
ＡＳ−Ｙ−Ｚｍ（式１）
とを含む組成物から形成される変性ポリマー。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２０】
Ｙが、（Ｃ１２〜Ｃ１００）アルキル、（Ｃ１２〜Ｃ１００）アラルキル、または（Ｃ１２〜Ｃ１００）アリールであり；
Ａが、水素、−（Ｓ）ｐ−Ｒ１またはＳｉＲ２Ｒ３Ｒ４であり；
Ｚが、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
Ｒ１、Ｒ２、Ｒ３、Ｒ４、Ｒ８、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１９に記載のポリマー。
【請求項２１】
前記組成物が、ハロゲン化スズ、スズアルコキシド、ハロゲン化ケイ素、およびケイ素アルコキシドか選択される少なくとも１つのカップリング剤をさらに含む、請求項１９に記載のポリマー。
【請求項２２】
１）フィラーと、
２）加硫剤と、
３）ｉ）未架橋弾性ポリマーおよびｉｉ）下記式１によって表されるスルフィド変性剤の反応生成物である変性ポリマー
ＡＳ−Ｙ−Ｚｍ  （式１）
とを含む組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２３】
ｉ）未架橋弾性ポリマーと、
ｉｉ）下記式１によって表されるスルフィド変性剤、
ＡＳ−Ｙ−Ｚｍ  （式１）
とを含む組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数字の１、２、３、４または５であり；
ｐは、数字の１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２４】
油をさらに含む、請求項１〜３のいずれかに記載の組成物。
【請求項２５】
前記未架橋弾性ポリマーが、ハロゲン化スズ、スズアルコキシド、ハロゲン化ケイ素、またはケイ素アルコキシドから選択される少なくとも１つのカップリング剤を含む混合物から調製される、請求項１〜３のいずれかに記載の組成物。
【請求項２６】
請求項１〜３、１０〜１８、２２又は２３のいずれかに記載の組成物から形成された少なくとも１つの構成要素を含む物品。
【請求項２７】
タイヤ構成要素、自動車部品、履物構成要素、ベルト、ガスケット、シールおよびホースから成る群より選択される、請求項２６に記載の物品。
【請求項２８】
請求項１９〜２１のいずれかに記載のポリマーから形成された少なくとも１つの構成要素を含む物品。
【請求項２９】
タイヤ構成要素、自動車部品、履物構成要素、ベルト、ガスケット、シールおよびホースから成る群より選択される、請求項２８に記載の物品。